(57)【特許請求の範囲】
【請求項１】
トラック単位で管理されるデータと当該データの内容を示す文字情報とが記録された記録媒体を再生する再生手段と、
上記再生手段により再生された文字情報を記憶する記憶手段と、
少なくとも上記記憶手段に記憶されている文字情報を表示する表示部を備えた表示手段と、
上記記憶手段に記憶された文字情報の文字列を第１の速度にて上記表示部の一端側から他端側へ１文字づつスクロールさせ、上記文字列の先頭文字が上記他端側に到達したときに上記スクロールを停止し、所定期間経過後上記文字列を上記第１の速度より遅い第２の速度にて１文字づつスクロールさせ、当該文字情報の最後の文字が表示された場合当該文字情報の表示を終了させると共に再生中のデータの再生開始位置からの経過時間を示す情報を表示させる表示制御手段と
を備える再生装置。
【請求項２】
上記再生手段は、トラック単位で管理されるデータと当該データの内容を示す文字情報と当該データのトラック番号情報とが記録された記録媒体を再生し、
上記表示制御手段は、上記記憶手段に記憶された文字情報の文字列を第１の速度にて上記表示部の一端側から他端側へ１文字づつスクロールさせ、上記文字列の先頭文字が上記他端側に到達したときに上記スクロールを停止し、所定期間経過後上記文字列を上記第１の速度より遅い第２の速度にて１文字づつスクロールさせ、当該文字情報の最後の文字が表示された場合当該文字情報の表示を終了させると共に再生中のデータの再生開始位置からの経過時間を示す情報と上記トラック番号情報とを表示させることを特徴とする
請求項１記載の再生装置。
【請求項３】
トラック単位で管理されるデータと当該データの内容を示す文字情報とが記録された記録媒体を再生する再生ステップと、
再生された上記文字情報を記憶する記憶ステップと、
記憶された上記文字情報の文字列を第１の速度にて表示部の一端側から他端側へ１文字づつスクロールさせる第１のスクロールステップと、
上記文字列の先頭文字が上記他端側に到達したときに上記スクロールを停止させるスクロール停止ステップと、
所定時間経過後上記文字列を上記第１の速度より遅い第２の速度にて１文字づつスクロールする第２のスクロールステップと、
上記文字情報の文字列の最後の文字が表示された場合当該文字情報の表示を終了させると共に再生中のデータの再生開始位置からの経過時間を示す情報を表示するステップと
から構成される表示制御方法。
【発明の詳細な説明】
【０００１】
【発明の属する技術分野】
本発明は、例えばサブデータが音声データなどのメインのデータと共に記録される記録媒体の再生装置及び表示制御方法に関し、特に再生時のサブデータの表示技術に関する。
【０００２】
【従来の技術】
従来、光磁気ディスク，光ディスク，磁気テープなどの記録媒体にデータを記録する場合、メインのデータに付随するサブデータの記録ができるようにしたものが各種開発されている。例えば、音楽の演奏音などの音声データを記録する場合に、この音声データと共に曲名などのサブデータをコード化して記録させることができる。
【０００３】
このようにメインのデータに付随するサブデータが記録媒体に記録されていることで、再生時に記録データの内容をサブデータより知ることができ、使い勝手が向上する。
【０００４】
【発明が解決しようとする課題】
ところで、このようなサブデータが記録された記録媒体の再生時に、サブデータの内容を知るためには、再生装置にサブデータを表示する表示手段が必要である。ところが、例えば音声データの再生を行う再生装置の場合には、通常はトラック番号などを表示する比較的小型の表示部が設置されているだけであり、曲名などの文字データを表示させるのは困難である。ここで、曲名などの文字が表示可能な大型の表示部を設けると、それだけ表示部の構成が複雑になり、再生装置の製造コストを増大させてしまうと共に、大型の表示部を設置するスペースが必要になり、再生装置を大型化させてしまう不都合があった。
【０００５】
本発明はかかる点に鑑み、比較的小型の表示部で良好に曲名などのサブデータを表示させることのできる再生装置を提供することを目的とする。
【０００６】
【課題を解決するための手段】
本発明は、トラック単位で管理されるデータと当該データの内容を示す文字情報とが記録された記録媒体を再生する再生手段と、上記再生手段により上記管理領域から再生された文字情報を記憶する記憶手段と、少なくとも上記記憶手段に記憶されている文字情報を表示する表示部を備えた表示手段と、上記記憶手段に記憶された文字情報の文字列を第１の速度にて上記表示部の一端側から他端側へ１文字づつスクロールさせ、上記文字列の先頭文字が上記他端側に到達したときに上記スクロールを停止し、所定期間経過後上記文字列を上記第１の速度より遅い第２の速度にて１文字づつスクロールさせ、当該文字情報の最後の文字が表示された場合当該文字情報の表示を終了させると共に再生中のデータの再生開始位置からの経過時間を示す情報を表示させる表示制御手段とを備える再生装置である。
【０００７】
【発明の実施の形態】
以下、本発明の一実施例を、添付図面を参照して説明する。
【０００８】
本例においては、音声データが記録される光磁気ディスクの記録・再生装置に適用したもので、この記録・再生装置の構成を図１に示す。この図１において、１は光磁気ディスクを示し、この光磁気ディスク１はカートリッジ２に収納されたままで記録・再生装置に装着され、スピンドルモータ３により回転駆動される。そして、このディスク１に螺旋状又は同心円状に形成されたトラックに後述する磁界変調で記録された記録信号を光学ピックアップ４で読出し、再生信号をＲＦアンプ５を介して変調・復調処理回路６に供給し、記録用に変調されたデータの復調を行う。この変調・復調処理回路６での記録用の変調及び復調の処理としては、例えば８−１４変調（ＥＦＭ）と称されるデジタル変調が行われる。また、この変調・復調処理回路６での処理は、システムコントローラ２０の制御で行われる。
【０００９】
また、光磁気ディスク１に形成された各トラックは、ウォブリング（蛇行）によりアドレスデータが予め記録されてあり、このウォブリング情報をアドレスデコーダ９が検出するようにしてある。即ち、ＲＦアンプ５が出力する再生信号をアドレスデコーダ９に供給し、このデコーダ９でウォブリングにより記録されたアドレスデータのデコードを行い、デコードされたアドレスデータを、変調・復調処理回路６を介してシステムコントローラ２０に供給する。
【００１０】
そして、変調・復調処理回路６で復調された音声データを、メモリコントローラ１０に供給し、このメモリコントローラ１０に接続されたＲＡＭ１１に一旦記憶させる。このＲＡＭ１１は、再生データが一時的に途切れた場合にも音声データの出力を連続させるためのデータバッファで、このＲＡＭ１１に記憶されたデータを圧縮・伸長処理回路１２に供給する。そして、この圧縮・伸長処理回路１２で記録用に圧縮されたデータを元のデータ量に伸長させ、この伸長さたれデータをデジタル／アナログ変換器１３でアナログオーディオ信号に変換し、このアナログオーディオ信号をオーディオ信号出力端子１４に供給する。
【００１１】
また、光学ピックアップ４や後述する記録ヘッド１８のディスクの半径方向の移動が、システムコントローラ２０からの指令に基づいたサーボ制御回路７の制御による送りモータ８の駆動で行われる。このサーボ制御回路７には、ＲＦアンプ５が出力する再生信号が供給され、再生トラックに追従させるサーボ制御が行われる。また、スピンドルモータ３による回転駆動も、サーボ制御回路７の制御で行われる。
【００１２】
また、記録系の構成としては、オーディオ信号入力端子１５に得られるアナログオーディオ信号を、アナログ／デジタル変換器１６でデジタル音声データに変換した後、このデジタル音声データを圧縮・伸長処理回路１２で圧縮処理を行い、圧縮された音声データをメモリコントローラ１０に供給し、このメモリコントローラ１０に接続されたＲＡＭ１１に一旦記憶させる。そして、このＲＡＭ１１から読出された音声データを、変調・復調処理回路６で記録用に変調し、変調された音声データをヘッド駆動回路１７に供給して、記録ヘッド（磁気ヘッド）１８を駆動させる。
【００１３】
ここで、記録ヘッド１８は、光学ピックアップ４からディスク１にレーザが照射される位置の真上（ディスクの反対側）に配されている。そして記録時には、光学ピックアップ４からディスク１に照射されるレーザビームで、記録箇所を加熱させながら、この記録ヘッド１８で発生された磁界を記録する処理が行われる。この記録処理は、磁界変調記録方式と称されているものである。
【００１４】
また、システムコントローラ２０には操作キー２１が接続され、この操作キー２１の操作に基づいて記録や再生の制御が行われる。さらに、システムコントローラ２０には液晶ディスプレイよりなる表示部３０が接続され、記録や再生に関するデータなどが文字，数字などで表示されるようにしてある。本例の表示部３０は、装置の前面パネルなどに配置され、図２に示すように第１表示桁３１，第２表示桁３２，第３表示桁３３‥‥第９表示桁３９の９桁の表示部で構成されて９文字までの表示が可能で、第１表示桁３１と第２表示桁３２の上部には「トラック番号」と表示させてある。そして、システムコントローラ２０の制御による表示部３０での表示態様として、９文字を越える文字を表示する場合に、表示位置を移動させるスクロール表示が行われるようにしてある。このスクロール表示については後述する。また、スクロール表示が行われないときには、数字などでトラック番号や再生時間などのデータが表示されるように制御される。
【００１５】
そして、本例の光磁気ディスク１には、音声データの他にサブデータの記録ができるようにしてあり、このサブデータが所定トラック（例えば最内周トラック）に所定のフォーマットで記録されるようにしてある。この所定トラックに記録されたサブデータは、この光磁気ディスク１への音声データの記録や再生を行うに先立って（例えばディスク１を記録・再生装置に装着したときに）再生され、システムコントローラ２０内のメモリに記憶される。そして、記録や再生を行う場合の記録アドレスや再生アドレスの制御が、このサブデータに基づいて行われる。また、音声データの記録が行われたときには、記録したアドレスなどのデータをサブデータに付加する処理（即ち対応したエリアのサブデータの更新処理）が行われる。また、編集作業などによりサブデータだけを更新させる場合もある。
【００１６】
ここで、このサブデータの内容及びデータ構成について説明すると、まずサブデータの内容としては、ディスク１に設定されたトラック番号のアドレスデータと、各トラック番号の箇所に記録されたデータの種類のデータと、各トラック番号に付与されたトラック名のデータと、ディスク１に付与されたディスク名のデータとが記録されている。なお、このようなサブデータは、ＴＯＣ（Ｔａｂｌｅ
ｏｆ  Ｃｏｎｔｅｎｔｓ：索引情報）と称されるものである。
【００１７】
そして、それぞれのサブデータは、図３及び図４に示すように、３２ビット毎のエリアに分けられて記録されている。なお、ここで述べるトラック番号は、ディスク１に記録された音声データを１単位毎に区切って付与された番号で、例えば１枚のディスクに複数の曲が記録されている場合に、１曲毎に付与される番号で、ディスク１に形成されたデータ記録トラックのトラック数とは直接関係がない。
【００１８】
そして、各トラック番号毎のアドレスデータと、記録データの種類に関するデータとは、図３に示すように記録されている。即ち、このディスク１にトラック番号１からトラック番号Ｎ（Ｎは任意の整数）までＮ個の音声データが記録されているとすると、エリア１１１にトラック番号１のアドレスデータがどのエリアに記録されているかを示すデータが記録され（この場合はエリア１５１）、以後１エリアずつ順にトラック番号Ｎまで対応したトラック番号のアドレスデータの記録エリアを示すデータが記録されている。
【００１９】
そして、エリア１５１からは２エリアが１組で使用され、最初のエリアで対応したトラック番号のスタートアドレスと種別データとが記録され、次のエリアで対応したトラック番号のエンドアドレスと接続データとが記録される。この場合、種別データとしては記録される音声データの種別（ステレオ，モノラルの区別，コピーガードの有無，エンファシスのオン・オフなど）が記録され、接続データとしては該当するトラック番号の次に再生するトラック番号のデータが記録される。
【００２０】
また、各トラック番号に付与されたトラック名のデータと、ディスク１に付与されたディスク名のデータとは、図４に示すように記録されている。即ち、エリア２１１にトラック番号１のトラック名の文字データがどのエリアに記録されているかを示すデータが記録され（この場合はエリア２５１）、以後１エリアずつ順にトラック番号Ｎまで対応したトラック番号のトラック名の文字データの記録エリアを示すデータが記録されている。
【００２１】
そして、エリア２５１からは２エリアが１組で使用され、２エリアを使用してトラック名の文字データが記録される。また、最後に接続データが記録され、トラック名の文字数が２エリアの記録データ量で納まらない場合に、この接続データで後続のエリア番号のデータが記録される。従って、接続データで順次後続のエリア番号を指示することで、１単位のトラック名の文字データを記録できるエリアを拡大でき、１単位のトラック名の文字データ数に制限がない。（但し、サブデータの記録エリア全体の容量で決まる制限はある。）
【００２２】
なお、トラック名の文字データが記録されるエリアには、同様の構成でディスク名の文字データも記録できるようにしてある。図４の例では、エリア２５１，２５２がディスク名のデータエリアとして使用されている。
【００２３】
そして、本例の記録・再生装置は、このようにサブデータとして記録されたディスク名及びトラック名を、再生時に表示部３０に表示させるようにしてある。以下、この表示時の動作を、図５及び図６のフローチャートを参照して説明する。
【００２４】
まず、ディスク名が表示される状態を、図５のフローチャートに示すと、本例ではこのディスク名の表示はディスク１を装置に装着したときに行われる。即ち、ディスク１の装置への装着があったとき（ステップ１０１）、この装着されたディスク１の所定トラック（最内周トラックなど）に記録されたサブデータを読出して、システムコントローラ２０側のメモリに記憶させる（ステップ１０２）。そして、読出されたサブデータにディスク名のデータがあるか否か判断し（ステップ１０３）、ディスク名のデータがある場合、９桁の表示桁３１〜３９で構成される表示部３０の最下位の表示桁３９から順に、ディスク名をスクロールさせながら表示させる。従って、最初の状態では、図２のＡに示すように、最下位の表示桁３９だけにディスク名の先頭文字が表示された状態になる。但し、ディスク名の表示時には、図２のＡに示すような最上位の表示桁３１でのトラック番号の表示（図２のＡ〜Ｃで「１」と表示されている部分）は行われない。
【００２５】
このときのスクロール表示としては、１桁ずつ表示桁をスクロールさせた後（ステップ１０４）、先頭文字の表示位置が最上位の表示桁３１まで移動したか否か判断して（ステップ１０５）、最上位の表示桁３１までスクロールしていないとき、３０ｍ秒だけ待機してから（ステップ１０６）、ステップ１０４に戻って次の桁へのスクロールを行う。
【００２６】
そして、この３０ｍ秒毎のスクロールで、先頭文字の表示位置が最上位の表示桁３１まで移動したときには、ステップ１０５からステップ１０７に移って、１秒待機する。この１秒待機した後は、ディスク名の最後の文字が最下位の表示桁３９に表示されるまで、２００ｍ秒毎にスクロールさせる表示を行わせる。即ち、１秒待機した後に１桁スクロールさせ（ステップ１０８）、ディスク名の最後の文字が最下位の表示桁３９に表示されたか否か判断し（ステップ１０９）、最後の文字が表示されていない場合は２００ｍ秒待機してから（ステップ１１０）、ステップ１０８に戻って次の桁へのスクロールを行う。そして、２００ｍ秒毎のスクロールで、ディスク名の最後の文字が最下位の表示桁３９に表示された場合、ディスク名の表示を終了して、図６のフローチャートに示すトラック名の表示処理に移る。
【００２７】
次に、このトラック名の表示処理を、図６を参照して説明すると、ディスク名の表示が行われた後に、キー２１の操作で再生させるトラック番号の選択が行われたか否か判断する（ステップ２０１）。また、再生途中でトラック番号が変化したか否か判断する（ステップ２０２）。そして、それぞれの判断で、トラック番号の選択が行われたと判断したとき、或いはトラック番号が変化したと判断したとき、図２のＡに示すように、最上位の表示桁３１を使用して現在再生中のトラック番号を表示させる（ステップ２０３）。ここで、表示させるトラック番号が２桁の数字である場合（即ちトラック番号が１０以上である場合）には、次の表示桁３２も使用する。なお、ステップ２０２でのトラック番号の変化の判断処理で、トラック番号が変化したと判断する場合には、再生が行われていない状態から再生が開始されて、新たに再生中のトラック番号のデータが得られた場合も含む。
【００２８】
そして、このトラック番号の表示が行われると同時に、最下位の表示桁３９から順に、トラック名を１文字ずつスクロールさせながら表示させる（ステップ２０４）。従って、最初の状態では、図２のＡに示すように、最上位の表示桁３１に現在再生中のトラック番号が表示されると共に、このトラック番号のトラック名の先頭文字が最下位の表示桁３９に表示された状態になる。なお、図２のＡ〜Ｇは、表示状態の経時的な変化を示す図である。
【００２９】
そして、この１文字のスクロールが行われた後、先頭文字の表示位置が最上位の表示桁３１まで移動したか否か判断して（ステップ２０５）、最上位の表示桁３１までスクロールしていないとき、３０ｍ秒だけ待機してから（ステップ２０６）、ステップ２０４に戻って次の桁へのスクロールを行う。このときには、トラック番号が表示された表示桁３１にトラック名の先頭文字が移動するまで、表示桁３１を使用したトラック番号の表示が行われる。従って、図２のＢ，Ｃに示すように、３０ｍ秒毎に表示文字が移動している間は、トラック番号がそのまま表示され、図２のＤに示すように、全ての表示桁３１〜３９を使用したトラック名の表示が行われる状態になって、トラック番号の表示がなくなる。
【００３０】
そして、この３０ｍ秒毎のスクロールで、先頭文字の表示位置が最上位の表示桁３１まで移動したときには、ステップ２０５からステップ２０７に移って、１秒待機する。この１秒待機した後は、トラック名の最後の文字が最下位の表示桁３９に表示されるまで、図２のＥ，Ｆに示すように、２００ｍ秒毎にスクロールさせる表示を行わせる。即ち、１秒待機した後に１桁スクロールさせ（ステップ２０８）、トラック名の最後の文字が最下位の表示桁３９に表示されたか否か判断し（ステップ２０９）、最後の文字が表示されていない場合は２００ｍ秒待機してから（ステップ２１０）、ステップ２０８に戻って次の桁へのスクロールを行う。そして、２００ｍ秒毎のスクロールで、トラック名の最後の文字が最下位の表示桁３９に表示された場合、トラック名の表示を終了させると同時に、図２のＧに示すように、最上位の表示桁３１を使用して現在再生中のトラック番号を表示させる（ステップ２１１）。そして、このトラック番号の表示時には、下位の表示桁３４〜３９を使用して、現在の再生時間を分，秒（ｍ，ｓ）で表示させる。この再生時間の表示は、該当するトラック番号の先頭部分からの経過時間の表示である。従って、トラック番号が変わる毎にリセットされる。
【００３１】
このようにディスク名の表示とトラック名の表示が行われることで、９桁の表示部３０を使用して、９文字以上のディスク名やトラック名が良好にスクロール表示される。即ち、９桁の表示桁３１〜３９全てを使用した表示が行われるまでは、１文字毎のスクロールが３０ｍ秒周期で行われ、比較的早い速度でスクロール（図２のＡ〜Ｄの矢印Ｓ1 で示す動き）するようになり、９桁の表示桁３１〜３９による先頭の９文字の表示文字の識別が迅速に行えるようになる。そして、この先頭の９文字の表示は、９文字全てが表示されてから次にスクロールするまで１秒待機する（即ち１秒間は停止している）ようにしたので、この１秒間に先頭の９文字の識別が良好に行える。
【００３２】
そして、以後は１文字毎のスクロールが２００ｍ秒周期で行われ、比較的遅い速度でスクロール（図２のＥの矢印Ｓ2 で示す動き）するようになり、１文字スクロールする毎に表示文字の識別が可能で、９文字以上のディスク名やトラック名が、最後の文字まで良好に識別できる。
【００３３】
従って、先頭の文字だけが表示された状態から最後の文字が表示された状態になるまで、一定の速度でスクロールさせる従来のスクロール表示の表示形態よりも、表示文字の識別が良好にできるようになり、少ない桁数の表示部を使用して文字数の多いディスク名やトラック名の表示が良好にできる。
【００３４】
また、本例においては、ディスク名やトラック名の表示にために、上位の表示桁３１（或いは表示桁３１，３２）が使用されない間は、この表示桁３１（或いは表示桁３１，３２）を使用してトラック番号の表示を行うようにしたことで、表示部３０だけを使用して、選択された（或いは現在再生中の）トラック番号の良好な表示が行われ、ディスク名やトラック名の識別と同時にトラック番号の識別を行うことができる。さらに、ディスク名やトラック名の表示が行われた後は、表示部３０に演奏時間の表示が行われるので、表示部３０だけを使用した効率の良い表示が行われる。
【００３５】
なお、上述実施例では記録が可能な光磁気ディスクの再生を行う記録・再生装置として説明したが、ディスク成形時に形成されるピットでデータが記録される光ディスクの再生を行う場合にも、同様の構成の再生系回路で再生を行うことが可能である。
【００３６】
また、上述実施例ではトラック名やディスク名の文字を表示させる場合に適用したが、トラック名やディスク名に対応した表示であれば、文字，数字以外の記号などを表示させる場合にも適用できる。また、上述実施例では音楽などの音声データが記録されたディスクのトラック名やディスク名を表示させるようにしたが、映像データ，プログラムデータなどの他のデータが記録された記録媒体のデータ名を表示させるようにしても良い。
【００３７】
また、上述実施例においては、ディスクの記録・再生装置に適用したが、再生機能だけを備えた再生装置での表示にも適用できることは勿論である。また、ディスク以外の記録媒体の再生装置にも適用できる。例えば、磁気テープに記録されたサブデータの表示にも適用できる。さらにまた、本発明は上述実施例に限らず、その他種々の構成が取り得ることは勿論である。
【００３８】
【発明の効果】
本発明によると、表示部での表示が、この表示部が備える表示桁を越えた桁数の文字などの表示でも、スクロール表示により良好に行われる。
【図面の簡単な説明】
【図１】本発明の一実施例が適用される記録・再生装置を示す構成図である。
【図２】一実施例による表示態様を示す説明図である。
【図３】一実施例によるアドレスデータの記憶状態を示す構成図である。
【図４】一実施例によるトラック名データの記憶状態を示す構成図である。
【図５】一実施例によるディスク名の表示動作を示すフローチャート図である。
【図６】一実施例によるトラック名の表示動作を示すフローチャート図である。
【符号の説明】
１  光磁気ディスク、２０  システムコントローラ、３０  表示部、３１  第１表示桁、３２  第２表示桁、３３  第３表示桁、３４  第４表示桁、３５  第５表示桁、３６  第６表示桁、３７  第７表示桁、３８  第８表示桁、３９  第９表示桁
【図１】
0003724477.tif 000002
【図２】
0003724477.tif 000003
【図３】
0003724477.tif 000004
【図４】
0003724477.tif 000005
【図５】
0003724477.tif 000006
【図６】
0003724477.tif 000007